【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
遠位端に向かって近位端から延在している細長いシャフトと、
前記細長いシャフトの前記遠位端の所の外科用バーであり、
第１の溝部、
第１のカッティングエッジ、および
第１の後縁部
を含み、
前記第１のカッティングエッジは、組織を切削するように構成されており、前記外科用バーの中心軸から第１の距離で離間されており、
前記第１の後縁部は、前記外科用バーの前記中心軸から前記第１の距離で離間されている、
外科用バーと
を含み、
前記外科用バーは、前記中心軸に対して径方向に組織を切開するように構成されている、
外科用切開アセンブリ。
【請求項２】
前記組織内へ前記中心軸に沿って軸方向に切開するように構成されているバー遠位先端部をさらに含む、請求項１に記載の外科用切開アセンブリ。
【請求項３】
前記外科用バーは、前記第１の後縁部から延在している壁により形成されている凸ランド部をさらに含み、前記凸ランド部は前記中心軸から第２の距離の所にあり、前記第２の距離は前記第１の距離より短い、請求項１または２に記載の外科用切開アセンブリ。
【請求項４】
前記外科用バーは、第２のカッティングエッジと第２の後縁部とを有する第２の溝部をさらに含み、
前記凸ランド部は、前記第１のカッティングエッジと前記第２の後縁部との間で、概ね、前記中心軸を中心とした円弧上に延在している、
請求項３に記載の外科用切開アセンブリ。
【請求項５】
前記第１の溝部は複数の溝部を含み、前記複数の溝部の各溝部はカッティングエッジと後縁部とを含む、請求項１から３のいずれかに記載の外科用切開アセンブリ。
【請求項６】
前記第１の溝部は破片除去領域を含む、請求項１から５のいずれかに記載の外科用切開アセンブリ。
【請求項７】
前記第１のカッティングエッジおよび前記第１の後縁部は、安定した径方向切削を可能にするように構成されている、請求項１から６のいずれかに記載の外科用切開アセンブリ。
【請求項８】
前記シャフトの前記近位端の所のモータ接続部
をさらに含む、請求項１から７のいずれかに記載の外科用切開アセンブリ。
【請求項９】
前記組織の切開のために前記外科用バーを駆動するモータ
をさらに含む、請求項１から８のいずれかに記載の外科用切開アセンブリ。
【請求項１０】
遠位端に向かって近位端から延在している細長いシャフトと、
前記細長いシャフトの前記遠位端の所の外科用バーであり、
第１のカッティングエッジおよび第１の後縁部を有する第１の溝部、
第２のカッティングエッジおよび第２の後縁部を有する第２の溝部
を含み、
前記第１のカッティングエッジおよび前記第２のカッティングエッジは、組織を切削するように構成されており、どちらも前記外科用バーの中心軸から第１の距離で離間されており、
前記第１の後縁部および前記第２の後縁部は前記外科用バーの前記中心軸から前記第１の距離で離間されている、
外科用バーと
を含み、
前記外科用バーは、前記中心軸に対して径方向に移動しながら、安定した方法で組織を切開するように構成されている、
外科用切開アセンブリ。
【請求項１１】
前記外科用バーを駆動するように構成されているモータと、
前記モータを収容しかつ前記外科用バーを用いて前記組織を切開するために使用者により操作されるように構成されているモータ筐体と
をさらに含む、請求項１０に記載の外科用切開アセンブリ。
【請求項１２】
前記モータは前記外科用バーを第１の回転方向に駆動するように構成されており、
前記第１の後縁部は、前記第２のカッティングエッジが前記組織を切削する前に、切削される前記組織の表面に係合する、
請求項１１に記載の外科用切開アセンブリ。
【請求項１３】
前記シャフトの前記近位端はモータ係合部分を含み、前記モータから前記シャフトへ回転力を伝達する、請求項１０から１２のいずれかに記載の外科用切開アセンブリ。
【請求項１４】
前記溝部は、前記第１の距離または前記第２の距離より短い、前記中心軸からの第３の距離を有する溝面を含み、
前記溝部は破片除去領域を形成している、
請求項１０から１３のいずれかに記載の外科用切開アセンブリ。
【請求項１５】
前記外科用バーは、前記第１のカッティングエッジから前記第１の後縁部まで、概ね、前記中心軸を中心とした第１の円弧上に延在している第１の凸ランド部と、前記第２のカッティングエッジから前記第２の後縁部まで、概ね、前記中心軸の周囲の第２の円弧上で延在している第２の凸ランド部とをさらに含む、請求項１０から１４のいずれかに記載の外科用切開アセンブリ。
【請求項１６】
バーの中心軸から略径方向に物質を除去する方法であって、
モータに動力を供給して、前記バーの前記回転軸を中心として前記バーを回転駆動するステップと、
前記外科用バーを前記中心軸から径方向に移動させるステップと
前記バーのカッティングエッジで前壁に係合する前に、前記バーの後縁部で経路の前壁に係合するステップと
を含み、
前記バーは前記前壁内へ滑らかに切り込むように構成されている、方法。
【請求項１７】
前記前壁を切削しかつ前記前壁から物質を除去することにより、前記物質内に経路を形成するステップ
をさらに含む、請求項１６に記載の方法。
【請求項１８】
前記物質内へ前記中心軸に沿って軸方向に前記バーを移動させることにより、前記物質内への内腔を形成するステップ
をさらに含む、請求項１６または１７に記載の方法。
【請求項１９】
前記バーで穴部を形成するステップ
をさらに含む、請求項１６から１８のいずれかに記載の方法。
【請求項２０】
前記穴部を通して前記物質内へ物体を挿入するステップをさらに含む、請求項１９に記載の方法。
【請求項２１】
前記外科用バーが、バーの近位端からバーの遠位端まで延び、
前記第１の溝部が、バーの近位端からバーの遠位端まで延び、
前記第１のカッティングエッジが、バーの近位端からバーの遠位端まで延び、
前記第１の後縁部が、バーの近位端からバーの遠位端まで延び、
前記外科用切開アセンブリが更に、前記第１のカッティングエッジと前記第２の後縁部との間で、バーの近位端からバーの遠位端まで延びる第１ランド部を有し、
前記第１ランド部は、前記外科用バーの中心軸から第２距離だけ離れており、前記第２距離は第１距離より小さい、請求項１または２に記載の外科用切開アセンブリ。
【請求項２２】
前記外科用バーはバーの近位端からバーの遠位端までの長さに沿って延び、
前記第１のカッティングエッジは、前記外科用バーの長さの半分より長い距離に沿って、前記外科用バーの中心軸から第１距離だけ離れており、
前記第１の後縁部は、前記外科用バーの長さの半分より長い距離に沿って、前記外科用バーの中心軸から第１距離だけ離れている、請求項２１に記載の外科用切開アセンブリ。
【請求項２３】
前記外科用バーはバーの近位端からバーの遠位端まで延び、
前記第１のカッティングエッジと前記第１の後縁部とを有する前記第１の溝部が、バーの近位端からバーの遠位端まで延び、
前記第２のカッティングエッジと前記第２の後縁部とを有する前記第２の溝部が、バーの近位端からバーの遠位端まで延び、
前記外科用切開アセンブリが更に、前記第１のカッティングエッジと前記第２のカッティングエッジとの間で、バーの近位端からバーの遠位端まで延びる第１ランド部を有し、
前記第１ランド部は、前記中心軸に垂直な平面内で凸状であり、前記外科用バーの中心軸から前記平面上で第２距離だけ離れており、前記第２距離は前記第１距離より小さい、請求項１０から１４のいずれか一項に記載の外科用切開アセンブリ。
【請求項２４】
前記外科用バーはバーの近位端からバーの遠位端までの長さに沿って延び、
前記第１のカッティングエッジと前記第２のカッティングエッジは、前記外科用バーの長さの半分より長い距離に沿って、前記外科用バーの中心軸から第１距離だけ離れており、
前記第１の後縁部と前記第２の後縁部は、前記外科用バーの長さの半分より長い距離に沿って、前記外科用バーの中心軸から第１距離だけ離れている、請求項２３に記載の外科用切開アセンブリ。